(57)【要約】【課題】生産性が向上すると共に、環境に配慮した製品の製造が容易で、低コストで、安価な折り曲げ式ホルダー及びその製造方法を提供する。【解決手段】平面展開形状に形成した折り曲げ式ホルダー１の前面部２と、後面部３と、上面部４と、折返し部５と、下面部６とを、前面部２(又は後面部３)に載置されたシート状表示物Ａの上下縁部に沿って折り曲げ、シート状表示物Ａを前面部２と後面部３とで挟持して製造する。組み立て時において、シート状表示物Ａを、前面部２と後面部３との間から抜き取った後、前面部２の折返し部５を、後面部３に形成した支持脚９，９に係止して組み立て、収容部Ｂに収容されたシート状表示物Ａを前面部２の抜止め片７，７で抜止めして、折り曲げ式ホルダー１を支持脚９，９で自立状態に支持する。【選択図】  図７
2005349656.tif 000002
【特許請求の範囲】
【請求項１】
シート状表示物が収容保持されるプラスチック製の折り曲げ式ホルダーであって、
上記折り曲げ式ホルダーを構成するプラスチックシートを型抜きして、上記シート状表示物と略対応する大きさ及び形状の前面部と、後面部と、上面部と、下面部とを一体的に連設した平面展開形状に形成し、
上記前面部の端部を、上記後面部の背面側と対向する方向に折り曲げ可能に設けると共に、該前面部の折返し側端部を、上記後面部の背面側に形成した上記折り曲げホルダーを自立状態に支持する支持脚に係止可能に設けた
折り曲げ式ホルダー。
【請求項２】
上記前面部と、後面部と、上面部と、下面部との各折り曲げ部分に付設した折り曲げ罫線を、上記前面部又は後面部に載置したシート状表示物の縁部に沿って折り曲げ可能に設けた
請求項１記載の折り曲げ式ホルダー。
【請求項３】
上記前面部と、後面部と、上面部と、下面部との主要な折り曲げ部分に付設される折り曲げ罫線の折り曲げ中心部の罫線深さを、上記プラスチックシート厚さの略５０％〜略８０％の範囲以内に含まれる深さに設定した
請求項１又は２記載の折り曲げ式ホルダー。
【請求項４】
上記シート状表示物の表示面に対して直接記入が可能な窓部を上記前面部の中央面に設けた
請求項１記載の折り曲げ式ホルダー。
【請求項５】
上記シート状表示物が収容される収容部を、上記前面部と、後面部と、上面部と、下面部とで囲繞される内部に形成すると共に、該収容部に収容されたシート状表示物の端部に当接される抜止め片を、上記収容部の開口側縁部に設けた
請求項１記載の折り曲げ式ホルダー。
【請求項６】
シート状表示物が収容保持されるプラスチック製の折り曲げ式ホルダーの製造方法であって、
上記折り曲げ式ホルダーを構成するプラスチックシートを型抜きして、上記シート状表示物と略対応する大きさ及び形状の前面部と、後面部と、上面部と、下面部とを一体的に連設した平面展開形状に形成し、
上記シート状表示物の表示面に対して直接記入が可能な窓部を、上記前面部の中央面に形成し、
上記折り曲げホルダーを自立状態に支持するときに上記前面部の端部が係止される支持脚を、上記後面部の背面側に形成し、
上記シート状表示物を、上記前面部又は後面部の何れか一方に重ね合わせた後、
上記前面部と、後面部と、上面部と、下面部との折り曲げ部分に付設した折り曲げ罫線を、該前面部又は後面部に重ね合わせたシート状表示物の縁部に沿って折り曲げガイドして、
上記シート状表示物が重ね合わされなかった前面部又は後面部を、該シート状表示物が重ね合わされた前面部又は後面部と対向する方向に折り曲げ、
上記前面部の端部を、上記後面部の背面側と対向する方向に折り曲げて、上記シート状表示物を前面部と後面部とで挟持した状態に製造する
折り曲げ式ホルダーの製造方法。
【発明の詳細な説明】
【技術分野】
【０００１】
この発明は、例えば卓上カレンダーや写真、紙葉類等の単数枚又は複数枚からなるシート状表示物を保持するのに用いられる折り曲げ式ホルダー及びその製造方法に関する。
【背景技術】
【０００２】
従来、上述の折り曲げ式ホルダーとしては、例えば矩形状背板１の左右及び下辺に、断面コの字形に折曲した収納枠２…を折り曲げ形成し、背板１の中央上部に形成した脚片４と、背板１の中央下部に形成した支持片５とで卓上用ホルダを立て置いた状態に支持し、カレンダー等の被収納物を背板１と収納枠２とで保持されるように収納する特許文献１のカレンダー類の卓上用ホルダーと、
表面部２に形成した側面部８Ａと、底面部８Ｃと、差し込み辺１２と、折り返し辺１１，１３と、背面部３の係止辺１９，１９とを内側に折り曲げ、表面部２の差し込み辺１２を、背面部３の一対の係止辺１９，１９の外端１９ａ，１９ａの内側に差し込んで薄箱状のケースに組み立てた後、複数枚のカレンダー紙葉１をケース内部に挿入し、背面部３に形成した左右一対の脚辺１５ａ，１５ｂで立て置いた状態に支持する特許文献２の紙製卓上カレンダーケースとがある。
【０００３】
しかし、特許文献１の卓上用ホルダーは、カレンダー紙葉１を、背板１の左右及び下辺を折り曲げて形成した収納枠２…により保持するので、プラスチックシートの肉厚を厚くすると、複数枚のカレンダー紙葉１…を保持するのに必要な強度が得られるが、折り曲げ時の抵抗が大きく、収納枠２…の折り曲げ部分を直角に折り曲げることができず、所定の寸法及び形状に加工することが困難である。折り曲げ時において、加圧や加熱等の処理に時間が掛かる。また、プラスチックシートの肉厚を厚くすると、材料の使用量が多くなるため、製造及び輸送等のコストが高くなる。
【０００４】
一方、特許文献２の紙製卓上カレンダーケースは、表面部２の差し込み辺１２及び折り返し辺１１，１３と、背面部３の係止辺１９，１９とを折り曲げて組み立てるが、シート状の厚紙を機械的に折り曲げて組み立てる場合、工程数が多くなるだけでなく、機械の構造及び動作が複雑になるため、一つのカレンダーケースを組み立てるときに要する時間が長くなり、安価に製造することが困難である。
【０００５】
【特許文献１】実開平６−９９６９号公報
【特許文献２】登録実用新案第３０６３５４１号公報
【発明の開示】
【発明が解決しようとする課題】
【０００６】
この発明は上記問題に鑑み、折り曲げ式ホルダーの前面部及び後面部、上面部、下面部を、前面部又は後面部に重ね合わせたシート状表示物の縁部に沿って折り曲げ、シート状表示物を前面部と後面部とで挟持した状態に製造することにより、生産性が向上すると共に、環境に配慮した製品の製造が容易で、低コストで、安価な折り曲げ式ホルダー及びその製造方法の提供を目的とする。
【課題を解決するための手段】
【０００７】
この発明は、シート状表示物が収容保持されるプラスチック製の折り曲げ式ホルダーであって、上記折り曲げ式ホルダーを構成するプラスチックシートを型抜きして、上記シート状表示物と略対応する大きさ及び形状の前面部と、後面部と、上面部と、下面部とを一体的に連設した平面展開形状に形成し、上記前面部の端部を、上記後面部の背面側と対向する方向に折り曲げ可能に設けると共に、該前面部の折返し側端部を、上記後面部の背面側に形成した上記折り曲げホルダーを自立状態に支持する支持脚に係止可能に設けた折り曲げ式ホルダーであることを特徴とする。
【０００８】
また、シート状表示物が収容保持されるプラスチック製の折り曲げ式ホルダーの製造方法であって、上記折り曲げ式ホルダーを構成するプラスチックシートを型抜きして、上記シート状表示物と略対応する大きさ及び形状の前面部と、後面部と、上面部と、下面部とを一体的に連設した平面展開形状に形成し、上記シート状表示物の表示面に対して直接記入が可能な窓部を、上記前面部の中央面に形成し、上記折り曲げホルダーを自立状態に支持するときに上記前面部の端部が係止される支持脚を、上記後面部の背面側に形成し、上記シート状表示物を、上記前面部又は後面部の何れか一方に重ね合わせた後、上記前面部と、後面部と、上面部と、下面部との折り曲げ部分に付設した折り曲げ罫線を、該前面部又は後面部に重ね合わせたシート状表示物の縁部に沿って折り曲げガイドして、上記シート状表示物が重ね合わされなかった前面部又は後面部を、該シート状表示物が重ね合わされた前面部又は後面部と対向する方向に折り曲げ、上記前面部の端部を、上記後面部の背面側と対向する方向に折り曲げて、上記シート状表示物を前面部と後面部とで挟持した状態に製造する折り曲げ式ホルダーの製造方法であることを特徴とする。
【０００９】
上記シート状表示物は、例えば卓上カレンダーや写真、紙葉類等の略正方形又は略矩形に形成されたシート状を有するもので構成することができる。また、プラスチックシートは、例えば生分解性プラスチックシートやＰＥＴボトル等の再生原料から再生されたアモルファスポリエチレンテレフタレート（Ａ−ＰＥＴ）、塩化ビニル（ＰＶＣ）、ポリプロピレン（ＰＰ）、ポリエチレン（ＰＥ）、その他の単体又は複合したプラスチック等で構成することができる。また、例えば透明又は半透明、不透明に形成したプラスチックシート、所望する表示内容が印刷されたプラスチックシート等で構成することもできる。
【００１０】
つまり、折り曲げ式ホルダーを構成するプラスチックシートを型抜き（又は打抜き）して、シート状表示物と略対応する大きさ及び形状の前面部と、後面部と、上面部と、下面部とを一体的に連設した平面展開形状に形成し、折り曲げホルダーを自立状態に支持するとき、前面部の端部が係止される支持脚を後面部の背面側に形成し、シート状表示物を、前面部又は後面部の何れか一方に重ね合わせた後、前面部と、後面部と、上面部と、下面部との折り曲げ部分に付設した折り曲げ罫線を、前面部又は後面部に載置又は重ね合わせたシート状表示物の縁部に沿って折り曲げガイドして、シート状表示物が重ね合わされなかった前面部又は後面部を、シート状表示物が重ね合わされた前面部又は後面部と対向する方向に折り曲げ、前面部の端部を、後面部の背面側と対向する方向に折り曲げて、シート状表示物を前面部と後面部とで挟持した状態に製造する。
【００１１】
また、ホルダー形態に組み立てる場合、シート状表示物を、前面部と後面部との間から抜き取った後、前面部の折返し側端部を、後面部に設けた支持脚に係止してホルダー形態に組み立てた後、後面部に形成した支持脚を、例えば机や棚、台等の展示部に接地して、シート状表示物が収容保持された折り曲げ式ホルダーを自立した状態に展示する。また、後面部の端部を、前面部の前面側と対向する方向に折り曲げ可能に設けることもできる。
【００１２】
実施の形態として、上記前面部と、後面部と、上面部と、下面部との各折り曲げ部分に付設した折り曲げ罫線を、上記前面部又は後面部に載置したシート状表示物の縁部に沿って折り曲げ可能に設けることができる。つまり、シート状表示物を、平面展開形状に形成された前面部又は後面部に載置したまま、前面部と、後面部と、上面部と、下面部との各折り曲げ部分に付設した折り曲げ罫線を、シート状表示物の縁部に沿って所定の方向及び角度に折り曲げガイドする。
【００１３】
また、上記前面部と、後面部と、上面部と、下面部との主要な折り曲げ部分に付設される折り曲げ罫線の折り曲げ中心部の罫線深さを、上記プラスチックシート厚さの略５０％〜略８０％の範囲以内に含まれる深さに設定することができる。
【００１４】
つまり、上記折り曲げ罫線は、例えば特開平１０−１９３４５０号公報、特開平１１−２９２０６７号公報、実公平４−９３４５号公報等に開示されるような折り曲げ罫線で構成することができ、折り曲げ罫線の折り曲げ中心部（罫線の一番深い部分）の平均肉厚がシート厚さの略５０％〜略８０％（例えば略０．４ｍｍの厚みを有するシートの場合、略０．２ｍｍ〜略０．０３２ｍｍ）の範囲以内である方が望ましく、折り曲げ時の抵抗が小さく、複数枚のシート状表示物を保持するのに必要な強度が得られるような罫線深さであることが必要である。折り曲げ中心部の平均肉厚が略５０％よりも浅いと、その部分の肉厚が厚くなり、折り曲げ部分が直角に曲がらず、所定の寸法及び形状を有するホルダー形態に正確に組み立てることができないため、シート状表示物を出し入れするときに付与される接触抵抗が大きく、組立て時の仕上がり精度も劣る。
【００１５】
また、折り曲げ罫線の折り曲げ中心部の平均肉厚が略８０％よりも深いと、その部分の残りの肉厚が薄くなり、折り曲げ罫線に孔が開くか、その部分から破れるか、形状が変形する等して、使用不可になる。
【００１６】
なお、折り曲げ罫線は、折り曲げ式ホルダーの全折り曲げ部分に付設される折り曲げ罫線を意味するものではなく、ホルダー形態に折り曲げるときに必要な部分を主要としたものであり、折り曲げるときにあまり関係の無い折り曲げ部分には付設する必要がない。また、折り曲げ罫線の代わりに、例えばミシン目や溝部、凹部、その他の折り目等を付設することもできる。
【００１７】
また、上記シート状表示物の表示面に対して直接記入が可能な窓部を上記前面部の中央面に設けることができる。つまり、シート状表示物を折り曲げ式ホルダーから抜き取らずに、例えば行事、出張、来客、旅行等の所望する表示内容を、シート状表示物の表示面に対して直接記入することができる。
【００１８】
また、上記シート状表示物が収容される収容部を、上記前面部と、後面部と、上面部と、下面部とで囲繞される内部に形成すると共に、該収容部に収容されたシート状表示物の端部に当接される抜止め片を、上記収容部の開口側縁部に設けることができる。つまり、抜止め片は、収容部に収容されたシート状表示物の両側端部に対して当接可能又は係止可能であれば、前面部又は後面部の両側縁部に沿った所望する位置に単数又は複数設けることができるが、作業性を考慮すると、前面部又は後面部の左右中央縁部に設けるのが良い。また、抜止め片を、前面部及び後面部の縁部全長に設けるか、Ｌ字状に折り曲げる等してもよい。
【発明の効果】
【００１９】
この発明によれば、折り曲げ式ホルダーの前面部及び後面部、上面部、下面部を、前面部又は後面部に載置又は重ね合わせたシート状表示物の縁部に沿って折り曲げ、シート状表示物を前面部と後面部とで挟持して製造するので、各部を人為的又は機械的に折り曲げてから、シート状表示物を収容するような必要が無く、製造時の作業及び工程を一部省いて、生産性の向上を図ることができる。
【００２０】
また、前面部の端部を後面部に形成した支持脚に係止してホルダー形態に組み立てるので、前面部の端部を、例えば溶着や接着等の方法で後面部の背面側に対して固定するような手間及び作業が省け、ホルダー形態に組み立てる作業が簡単且つ容易に行える。また、折り曲げ式ホルダーの全体を、例えば生分解性プラスチックシートやＰＥＴボトル等の再生原料から再生されたＡ−ＰＥＴシートを用いて製造することができるので、プラスチックの廃棄量が少なくなり、環境に配慮した製品の製造が容易であり、材料及び製造、輸送等に要するコストを低減して、安価なものを提供することができる。
【発明を実施するための最良の形態】
【００２１】
この発明は、生産性が向上すると共に、環境に配慮した製品の製造が容易で、低コストで、安価なものを提供するという目的を、折り曲げ式ホルダーの前面部及び後面部、上面部、下面部を、前面部又は後面部に重ね合わせたシート状表示物の縁部に沿って折り曲げ、シート状表示物を前面部と後面部とで挟持して製造することで達成することができる。
【実施例】
【００２２】
この発明の一実施例を以下図面に基づいて詳述する。
【００２３】
図面は、単数枚又は複数枚のシート状表示物を収容保持及び左右方向に出し入れする横型の折り曲げ式ホルダー及びその製造方法を示し、図１乃至図６に於いて、この折り曲げ式ホルダー１は、透明又は半透明のプラスチックシートを平面的に型抜き（打抜きを含む）して、前面部２と、後面部３と、上面部４と、折返し部５と、下面部６とが一体的に連設された平面展開形状に形成すると共に、シート状表示物Ａの前後面と略対応する大きさ及び形状を有する前面部２と後面部３との対向縁部を、後述する下面部６と略同一幅に形成した上面部４で連設し、前面部２の遊端側縁部と、後面部３の背面側と対向する方向に向けて折り曲げられる折返し部５の基端側縁部とを、シート状表示物Ａ…を重ね合わせたまま支持することが可能な幅に形成した下面部６で連設している。また、後面部３の折返し側端部を、前面部２の前面側と対向する方向に折り曲げ可能に設けることもできる。
【００２４】
且つ、前面部２及び後面部３を、例えば卓上カレンダーや紙葉類等の略正方形又は略矩形に形成されたシート状表示物Ａと略対応する大きさ及び形状に形成している。
【００２５】
且つ、組立て時において、一体的に連設した前面部２と、後面部３と、上面部４と、折返し部５と、下面部６とで囲繞される内部に、単数枚又は複数枚のシート状表示物Ａが収容可能な収容部Ｂを形成する。
【００２６】
且つ、収容部Ｂに収容したシート状表示物Ａの前側表示面に対して直接記入が可能な窓部２ａを前面部２の中央面に形成し、収容部Ｂに収容したシート状表示物Ａの左右両端部に当接して抜止めする抜止め片７，７を、収容部Ｂの開口側縁部に相当する前面部２の両側中央縁部に折り曲げ可能に連設している。
【００２７】
なお、抜止め片７，７は、収容部Ｂに収容したシート状表示物Ａの両側端部に対して当接可能又は係止可能であれば、前面部２（又は後面部３）の両側縁部に沿った所望する位置に単数又は複数設けることができるが、作業性を考慮すると、前面部２又は後面部３の左右中央縁部に設けるのが最適である。
【００２８】
且つ、収容部Ｂに収容したシート状表示物Ａの両側端部が把持可能な状態に露出される切欠き部８，８を、上記抜止め片７，７と対向する後面部３の両側中央縁部に形成している。
【００２９】
且つ、前面部２及び後面部３及び上面部４の折り曲げ部分と、前面部２及び折返し部５及び下面部６の折り曲げ部分とに、後述する折り曲げ罫線Ｃを略平行して２条付設している。なお、ホルダー形態に組み立てる作業にあまり関係ない部分には付設する必要がない。しかし、全折り曲げ部分に折り曲げ罫線Ｃを付設することもできる。
【００３０】
且つ、図７、図８、図９に示すホルダー形態に組み立てられた折り曲げ式ホルダー１を自立状態に支持する左右一対の支持脚９，９を、後面部３の背面側中央面に対して左右対称となるように一体的に形成すると共に、後面部３の背面側中央面と支持脚９，９の基端側内縁部との折り曲げ部分に後述する上記折り曲げ罫線Ｃを略平行して２条付設し、後面部３と略平坦となる折畳み状態と、後面部３の略真後ろ方向に突出する状態とに折り曲げ可能に設けている。
【００３１】
且つ、支持脚９，９を略真後ろ方向に向けて略直角に折り曲げた角度に規制する規制板１０を、支持脚９，９の基端側内縁部間に跨るように略直交して形成すると共に、後面部３の厚み内に収容される折畳み状態と、支持脚９，９を規制する状態とに折り曲げ可能に設けている。
【００３２】
また、後面部３の略真後ろ側に折り曲げられた支持脚９，９の基端側内縁部に形成した凹部９ａ，９ａには、規制板１０の遊端側外縁部に形成した左右一対の凹部１０ａ，１０ａが強制的に係止され、左右一対の支持脚９，９を略真後ろ方向に向けて略直角に折り曲げた角度に規制する。
【００３３】
また、後面部３の略真後ろ側に折り曲げられた支持脚９，９の基端側下縁部に形成した凹部９ｂ，９ｂには、折返し部５の遊端側外縁部に形成した左右一対の凹部５ａ，５ａが強制的に係止され、折返し部５を後面部３の背面側下縁部と対向する角度に折り曲げた角度に規制する。
【００３４】
上記折り曲げ式ホルダー１に用いられるプラスチックシートは、例えば略０．３ｍｍ〜略１ｍｍ程度の厚みを有する生分解性プラスチックシートを使用することができる。そのプラスチックシートの厚みが略０．３ｍｍ以下になると、プラスチックシート自体の腰が弱くなり、変形しやすくなる。また、プラスチックシートの厚みが略１ｍｍ以上になると、材料費が高くなるだけでなく、折り曲げ時の抵抗が大きくなるため、加工が困難となる。
【００３５】
その他のプラスチックシートとしては、例えばＰＥＴボトルから再生した再生シートであるアモルファスポリエチレンテレフタレート（Ａ−ＰＥＴシート）、塩化ビニル（ＰＶＣ）、ポリプロピレン（ＰＰ）、ポリエチレン（ＰＥ）、その他の単体又は複合したプラスチック等を使用することができる。また、折り曲げ式ホルダー１を、例えば不透明のプラスチックシート、所望する表示内容が印刷されたプラスチックシート等で構成することもできる。また、プラスチックシートの一部又は全体を、透明又は半透明、不透明に形成するか、所望する表示内容を一部又は全体に印刷する等してもよい。
【００３６】
上記折り曲げ罫線Ｃは、例えば特開平１０−１９３４５０号公報、特開平１１−２９２０６７号公報、実公平４−９３４５号公報等に開示した折り曲げ罫線Ｃで構成することができ、折り曲げ罫線Ｃの折り曲げ中心部（罫線の一番深い部分）の平均肉厚がシート厚さの略５０％〜略８０％の範囲以内である方が望ましい。
【００３７】
また、上記折り曲げ罫線Ｃは、折り曲げ式ホルダー１の全折り曲げ部分に付設される折り曲げ罫線Ｃを意味するものではなく、ホルダー形態に折り曲げるときに必要な部分（例えば図１に示す前面部２と、後面部３と、上面部４と、折返し部５と、下面部６と、支持脚９，９との折り曲げ部分）を主要としたものであり、折り曲げるときにあまり関係の無い折り曲げ部分には付設する必要がなく、罫線を付設する手間及び作業を省くことができる。また、折り曲げ罫線Ｃの代わりに、例えばミシン目や溝部、凹部、その他の折り目等を付設することもできる。
【００３８】
図示実施例は上記の如く構成するものにして、以下、折り曲げ式ホルダー１の製造方法及び組立て方法を説明する。
【００３９】
先ず、図１に示すように、複数枚のシート状表示物Ａを表示面が正面向きとなるように重ね合わせると共に、そのシート状表示物Ａの表示面を前面部２の窓部２ａと対向する方向に向けて、透明又は半透明のプラスチックシートを型抜き（又は打抜き）して平面展開形状に形成した折り曲げ式ホルダー１の前面部２(又は後面部３)の収容部Ｂ側に載置又は重ね合わせる。
【００４０】
次に、図２に示すように、前面部２(又は後面部３)をシート状表示物Ａで押圧固定したまま、上面部４及び折返し部５、下面部６の各折り曲げ部分に付設した折り曲げ罫線Ｃを、シート状表示物Ａの上端側縁部及び下端側縁部に沿わせて、上面部４を、シート状表示物Ａの上端側縁部に沿って略直角に折り曲げ、前面部２を、シート状表示物Ａが載置された後面部３の収容部Ｂ側と対向する方向（図２中の手前側）に折り曲げ、前面部２の折返し部５を、シート状表示物Ａの上端側縁部に沿って後面部３の背面側下縁部と対向する方向に向けて折り曲げて、複数枚のシート状表示物Ａを、前面部２と後面部３とで挟持したまま包装して製造及び出荷する。また、後面部３を、シート状表示物Ａが載置された前面部２の収容部Ｂ側と対向する方向に折り曲げて挟持することもできる。
【００４１】
次に、折り曲げ式ホルダー１を、図７に示す自立形態に組み立てる場合、シート状表示物Ａを、前面部２と後面部３との間から抜き取った後、図３に示すように、後面部３に形成した左右一対の支持脚９，９を、折り曲げ罫線Ｃに沿って略真後ろ方向（図３中の後側）に向けて略直角に折り曲げた後、図４に示すように、規制板１０を、折り曲げ罫線Ｃに沿って略真後ろ方向（図４中の後側）に向けて略直角に折り曲げ、支持脚９，９に形成した凹部９ａ，９ａと、規制板１０に形成した凹部１０ａ，１０ａとを互いに係止して、支持脚９，９を、略真後ろ方向に向けて略直角に折り曲げた角度に規制又は係止固定する。
【００４２】
次に、図５に示すように、前面部２を、後面部３の収容部Ｂ側と対向する方向（図５中の手前側）に向けて折り曲げるか、後面部３を、前面部２の収容部Ｂ側と対向する方向に折り曲げた後、図６の背面図に示すように、前面部２に形成した折返し部５を、後面部３の背面側下縁部と対向する方向に向けて折り曲げ、折返し部５に形成した凹部５ａ，５ａと、支持脚９，９に形成した凹部９ｂ，９ｂとを互いに係止し、折返し部５を、後面部３の背面側下縁部と対向する角度に係止固定して、図７、図８、図９に示すようなホルダー形態に折り曲げ式ホルダー１を組み立てると共に、前面部２と、後面部３と、下面部６と、上面部４とで囲繞された内部に、単数枚又は複数枚のシート状表示物Ａが収容される収容部Ｂを形成する。
【００４３】
次に、前面部２に形成した抜止め片７，７を収容部Ｂの左右開口部が閉塞される方向及び角度に折り曲げ、収容部Ｂに収容されたシート状表示物Ａの左右両端部に当接又は係止して抜止めした後、前面部２及び折返し部５の折り曲げ部分（下側角部）と、後面部３の略真後ろ側に折り曲げた左右一対の支持脚９，９とを、例えば机や棚、台等の展示部に接地して、シート状表示物Ａが収容された折り曲げ式ホルダー１を斜め後方に傾斜した自立状態に展示する。
【００４４】
また、折り曲げ式ホルダー１を組み立てた後、前面部２の左右縁部に形成した抜止め片７，７を収容部Ｂの左右開口部が開放される方向及び角度に曲げ戻して、シート状表示物Ａを左右方向から出し入れすることもできる。
【００４５】
以上のように、平面展開形状に形成した折り曲げ式ホルダー１の前面部２と、後面部３と、上面部４と、折返し部５と、下面部６との各折り曲げ部分に付設した折り曲げ罫線Ｃを、前面部２(又は後面部３)に載置又は重ね合わせたシート状表示物Ａの上下縁部に沿って所定の方向及び角度に折り曲げガイドするので、各部を人為的又は機械的に折り曲げてから、シート状表示物Ａを収容する必要が無く、製造時の作業及び工程を一部省くことができ、折り曲げ作業の能率アップ及び生産性の向上が図れる。且つ、従来品よりも折り曲げ回数が少なく、加圧や加熱等の処理が不要であるため、一つの折り曲げ式ホルダー１を短い時間で簡単に組み立てることができ、機械的に量産するのに最適で、安価に製造できる。
【００４６】
また、前面部２の折返し部５を後面部３の背面側と対向する方向に折り曲げ、その折返し部５の少なくとも一部を後面部３の背面側に設けた左右一対の支持脚９，９に係止してホルダー形態に組み立てた状態に保持するので、前面部２の折返し部５を、例えば溶着や接着等の方法で後面部３の背面側に対して固定するような手間及び作業が省け、ホルダー形態に組み立てる作業が簡単且つ容易に行え、作業性の向上を図ることができる。
【００４７】
また、前面部２の折返し部５に形成した凹部５ａ，５ａと、支持脚９，９に形成した凹部９ｂ，９ｂとを互いに係止するので、横ズレによる変形が防止でき、所定のホルダー形態に組み立てた状態を維持するのに必要な強度が得られる。
【００４８】
また、折り曲げ式ホルダー１の全体を、例えば生分解性プラスチックシートやＰＥＴボトル等の再生原料から再生されたＡ−ＰＥＴシートを用いて製造することができるので、プラスチックの廃棄量が少なくなり、環境に配慮した製品の製造が容易であり、材料及び製造、輸送等に要するコストの低減して、安価なものを提供することができる。
【００４９】
図１０は、左右一対の抜止め片７，７を略Ｌ字状に折り曲げて抜止めする折り曲げ式ホルダー１の他の抜止め方法を示し、略Ｌ字状に折り曲げられた抜止め片７，７を、収容部Ｂに収容されたシート状表示物Ａの略直角を成す側面及び後面に係止するので、略板状の抜止め片７，７をシート状表示物Ａの側面に当接するよりも、シート状表示物Ａの両側端部に係止される抜止め片７，７の面積及び抵抗が大きく、シート状表示物Ａの収容状態を保持するのに必要な強度が得られると共に、折り曲げ式ホルダー１を転倒させるか、落下させる等しても、シート状表示物Ａが抜け落ちるようなことがなく、前記実施例と略同等又は同等以上の作用及び効果を奏することができる。
【００５０】
図１１は、前面部２の両側縁部全長に形成した左右一対の抜止め片７，７で抜止めする折り曲げ式ホルダー１のその他の抜止め方法を示し、前面部２の両側縁部全長に形成した抜止め片７，７を、収容部Ｂに収容されたシート状表示物Ａの両側端部全長に当接又は係止するので、前記実施例の抜止め片７，７を部分的に当接又は係止するよりも、シート状表示物Ａの両側端部に係止される面積及び抵抗が大きく、シート状表示物Ａの収容状態を保持するのに必要な強度が得られると共に、抜止め片７，７が係止解除方向に曲げ戻されるようなことがなく、前記実施例と略同等又は同等以上の作用及び効果を奏することができる。また、抜止め片７，７を略Ｌ字状に折り曲げてもよい。
【００５１】
図１２は、シート状表示物Ａを上下方向に出し入れする縦型の折り曲げ式ホルダー１の他の組立て方法を示し、前面部２を後面部３の収容部Ｂ側と対向する方向に折り曲げ、前面部２の遊端側縁部に形成した折返し部５を、後面部３の背面側左縁部と対向する方向に向けて折り曲げ、その折返し部５の遊端側縁部に形成した差込み片５ｂを、後面部３の遊端部縁部に形成したスリット状の差込み孔３ａに差込んでホルダー形態に組み立てる。且つ、収容部Ｂに収容されたシート状表示物Ａを、前面部２の上下中央縁部に形成した抜止め片７，７で抜止めし、折り曲げ式ホルダー１を支持脚９，９により自立状態に支持するので、前記実施例と略同等の作用及び効果を奏することができる。この場合、上面部４及び下面部６は、折り曲げ式ホルダー１の左側面部及び右側面部に対応する。
【００５２】
図１３は、前面部２の折返し部５を、後面部３の後側中央面に一体的に形成した支持脚１２に係止する折り曲げ式ホルダー１のその他の組立て方法を示し、後面部３の後側中央面に形成した支持脚１２の上側脚部１２ａを後側斜め下方に折り曲げ、支持脚１２の下側脚部１２ｂを上側脚部１２ａと対向する方向に折り曲げて互いに係止した後、後面部３の背面側下縁部と対向する方向に折り曲げた前面部２の折返し部５の遊端側縁部を、下側脚部１２ｂの基端側に形成した係止爪１２ｃに係止してホルダー形態に組み立てるので、前記実施例と略同等の作用及び効果を奏することができる。且つ、前記実施例のような構造を有する支持脚９のみに限定されるものではなく、前面部２の遊端側縁部を支持脚９，１２に係止する構造であれば、その他の構造を有する支持脚も適用することができる。
【００５３】
図１４は、シート状表示物Ａを抜止めする抜止め片７，７及び折返し部５の凹部５ａ，５ａがないタイプの折り曲げ式ホルダー１のその他の例を示し、折返し部５の遊端側外縁部を、支持脚９，９の基端側下縁部に形成した凹部９ｂ，９ｂに直接係止してホルダー形態に組み立てる。また、シート状表示物Ａを抜止め片７，７で抜止めしなくても、折り曲げ式ホルダー１の収容部Ｂに収容保持することができる。なお、前記実施例と同一構成の部分は同一の符号を記してその詳細な説明を省略する。
【図面の簡単な説明】
【００５４】
【図１】平面展開したシート状の折り曲げ式ホルダーを示す平面図。
【図２】シート状表示物を前面部及び後面部で挟持した状態を示す正面図。
【図３】組立て時における左右一対の支持脚の折り曲げ状態を示す正面図。
【図４】規制板の折り曲げ状態を示す正面図。
【図５】前面部の折り曲げ状態を示す正面図。
【図６】折返し部の折返し状態を示す背面図。
【図７】折り曲げ式ホルダーの組立て状態を示す前側斜視図。
【図８】折り曲げ式ホルダーの組立て状態を示す後側斜視図。
【図９】卓上カレンダーの収容状態を示す縦断側面図。
【図１０】略Ｌ字状抜止め片で抜止めする他の抜止め方法を示す後側斜視図。
【図１１】長尺抜止め片で抜止めするその他の抜止め方法を示す後側斜視図。
【図１２】折り曲げ式ホルダーの他の組立て方法を示す後側斜視図。
【図１３】折り曲げ式ホルダーのその他の組立て方法を示す後側斜視図。
【図１４】抜止め片無しの折り曲げ式ホルダーを示す平面図。
【符号の説明】
【００５５】
Ａ…シート状表示物
Ｂ…収容部
Ｃ…折り曲げ罫線
１…折り曲げ式ホルダー
２…前面部
２ａ…窓部
３…後面部
４…上面部
５…折返し部
６…下面部
７…抜止め片
８…切欠き部
９，１２…支持脚
１０…規制板
【図１】
2005349656.tif 000003
【図２】
2005349656.tif 000004
【図３】
2005349656.tif 000005
【図４】
2005349656.tif 000006
【図５】
2005349656.tif 000007
【図６】
2005349656.tif 000008
【図７】
2005349656.tif 000009
【図８】
2005349656.tif 000010
【図９】
2005349656.tif 000011
【図１０】
2005349656.tif 000012
【図１１】
2005349656.tif 000013
【図１２】
2005349656.tif 000014
【図１３】
2005349656.tif 000015
【図１４】
2005349656.tif 000016